(57)【要約】【課題】軒先に簡易に取り付けでき、かつ外れにくい日除けシェードを提供する。【解決手段】日除けシェード１は、軒先２に吊り下げる、日除け用のシート材１５を有したシェード本体１０と、シェード本体１０を吊り下げた状態でシェード本体１０を壁面３側より支持する支持棒２０とを備えており、シェード本体１０は、シート材１５の枠材として基部枠１１と側枠１２とをすくなくとも備え、基部枠１１が軸支されるように軒先２に取り付けられ、かつ、側枠が支持棒２０の一端に連結されており、支持棒２０の他端が壁面３に当接することで、シェード本体１０が支持される。【選択図】図１
2020143558.tif 000002
【特許請求の範囲】
【請求項１】
軒先に吊り下げる、日除け用のシート材を有したシェード本体と、該シェード本体を吊り下げた状態で前記シェード本体を壁面側より支持する支持棒とを備えており、
前記シェード本体は、前記シート材の枠材として基部枠と側枠とをすくなくとも備え、該基部枠が軸支されるように前記軒先に取り付けられ、かつ、前記側枠が前記支持棒の一端に連結されており、
前記支持棒の他端が壁面に当接することで、前記シェード本体が支持されるようにしたことを特徴とする日除けシェード。
【請求項２】
請求項１において、
前記側枠に取り付けられ、前記側枠に対して前記支持棒を所望の角度で固定する連結部材をさらに備えたことを特徴とする日除けシェード。
【請求項３】
請求項２において、
前記連結部材と前記支持棒とは、前記支持棒を回動自在としたアンロック状態と、段階的な角度で固定するロック状態とに切り替え可能な連結構造とされることを特徴とする日除けシェード。
【請求項４】
請求項１〜３のいずれか１項において、
前記軒先に取り付けられ、前記シェード本体を吊り下げるフック部材をさらに備えたことを特徴とする日除けシェード。
【請求項５】
請求項４において、
前記フック部材は、軒先に固定されている軒樋支持具の基端部に引っ掛け可能な吊り下げ部を備えたことを特徴とする日除けシェード。
【発明の詳細な説明】
【技術分野】
【０００１】
本発明は、軒先に取り付ける日除けシェードに関する。
【背景技術】
【０００２】
従来、この種の日除けシェードとして簡易に取り付けできるものが種々提案されている（例えば、特許文献１参照）。この文献の日除けシェードは、軒先の上下に突っ張り棒を２本立て、突っ張り棒の上部にシート材の後端を固定し、突っ張り棒の中間部に取り付けた張設フレームでシート材の前端を固定することで設置されるものである。突っ張り棒は一般の利用者でも簡易に取り付けできるため、施工業者による工事は不要とされ、利便性は高い。
【先行技術文献】
【特許文献】
【０００３】
【特許文献１】特許第４３９６８３７号公報
【発明の概要】
【発明が解決しようとする課題】
【０００４】
しかしながら、枠材に固定されたシート材が突っ張り棒だけで支持される構造であるため、突っ張り棒自体が外れれば、その他の部材も当然に外れる。突っ張り棒が倒れれば、シート材が落下し損傷するおそれもある。
【０００５】
本発明は、このような事情を考慮して提案されたもので、その目的は、軒先に簡易に取り付けでき、かつ外れにくい日除けシェードを提供することにある。
【課題を解決するための手段】
【０００６】
上記目的を達成するために、請求項１に記載の日除けシェードは、軒先に吊り下げる、日除け用のシート材を有したシェード本体と、該シェード本体を吊り下げた状態で前記シェード本体を壁面側より支持する支持棒とを備えており、前記シェード本体は、前記シート材の枠材として基部枠と側枠とをすくなくとも備え、該基部枠が軸支されるように前記軒先に取り付けられ、かつ、前記側枠が前記支持棒の一端に連結されており、前記支持棒の他端が壁面に当接することで、前記シェード本体が支持されるようにしたことを特徴とする。
【０００７】
請求項２に記載の日除けシェードは、前記側枠に取り付けられ、前記側枠に対して前記支持棒を所望の角度で固定する連結部材をさらに備えたことを特徴とする。
【０００８】
請求項３に記載の日よけシェードは、前記連結部材と前記支持棒とは、前記支持棒を回動自在としたアンロック状態と、段階的な角度で固定するロック状態とに切り替え可能な連結構造とされることを特徴とする。
【０００９】
請求項４に記載の日よけシェードは、前記軒先に取り付けられ、前記シェード本体を吊り下げるフック部材をさらに備えたことを特徴とする。
【００１０】
請求項５に記載の日よけシェードは、前記フック部材は、軒先に固定されている軒樋支持具の基端部に引っ掛け可能な吊り下げ部を備えたことを特徴とする。
【発明の効果】
【００１１】
請求項１に記載の日除けシェードは上述した構成とされているため、簡易に取り付けでき、かつ外れにくい。
【００１２】
請求項２に記載の日除けシェードは上述した構成とされているため、シェード本体を所望の角度に取り付けることができる。また、支持棒を安定した状態に維持でき、その結果、シェード本体を安定した状態に維持することができる。
【００１３】
請求項３に記載の日除けシェードは上述した構成とされているため、ロック状態とすることで、シェード本体の安定した状態の維持を図ることができる。
【００１４】
請求項４に記載の日除けシェードは上述した構成とされているため、フック部材を用いることで、施工業者に依頼することなく日除けシェードを簡単に取り付けることができる。
【００１５】
請求項５に記載の日よけシェードは上述した構成とされているため、フック部材を軒先に簡単に取り付けでき、その結果、日除けシェードをさらに簡単に取り付けることができる。
【図面の簡単な説明】
【００１６】
【図１】本発明の日除けシェードの取り付け状態を示す側面図である。
【図２】（ａ）は日除けシェードの斜視図である。（ｂ）は日除けシェードの部分側面図である。
【図３】連結部材を介した、シェード本体と支持棒との連結構造の説明図である。（ａ）は連結部材の半割状態の断面図、（ｂ）は連結部材の側面図である。（ｃ）は支持棒の連結部の正面図、（ｄ）は連結部の側面図である。
【図４】（ａ）はフック部材の取り付け状態を示す軒樋支持具の側面図、（ｂ）はフック部材の正面図である。
【図５】（ａ）（ｂ）は、支持棒がロック状態のときの日除けシェードの風による変化を示す側面図である。
【図６】（ａ）（ｂ）は、支持棒がアンロック状態のときの日除けシェードの風による変化を示す側面図である。
【発明を実施するための形態】
【００１７】
以下に、本発明の実施の形態について、添付図面を参照して説明する。
まず、日除けシェード１の概略基本構成について記述する。なお、以下の説明においては、軒樋支持具の取付状態を基準として、前後等の方向を規定している。
【００１８】
本実施形態に係る日除けシェード１は、図１および図２に示すように、軒先２に吊り下げる、日除け用のシート材１５を有したシェード本体１０と、シェード本体１０を吊り下げた状態でシェード本体１０を壁面３側より支持する支持棒２０とを備えた構成とされる。
【００１９】
シェード本体１０は、図２（ａ）に示すように、シート材１５の枠材として基部枠１１と側枠１２とをすくなくとも備え、基部枠１１が軸支されるように軒先２に取り付けられ、かつ、側枠１２が支持棒２０の一端に連結されるものとされる。この支持棒２０の他端が壁面３に当接することで、シェード本体１０が支持されるようになっている。
【００２０】
ついで、図１〜図６に示した具体例をもとに、本実施形態に係る日除けシェード１について詳細に説明する。
【００２１】
この日除けシェード１は、図１に示すように、軒先２に取り付けられるもので、例えば、軒樋５を支持する軒樋支持具５０の取付足５２に吊り下げたフック部材４０を介して取り付けられる構成とされている。したがって、シェード本体１０はフック部材４０を介して、軒先２に固定された軒樋支持具５０に吊り下げ支持されるとともに、支持棒２０を介して壁面３にも支持されるようになっている。
【００２２】
シェード本体１０は、金属あるいは硬質樹脂で製された枠材（四周枠）に日除け用のシート材１５を取り付けて構成されている。四周枠は、後ろ側に配する基部枠１１と、前側に配する前方枠１３と、幅方向の両側に配する側枠１２とを備えている。本実施形態では、これらの枠材は円柱状または円筒状とされている。特に、それらのうちすくなくとも基部枠１１は、回動自在な軸となるように、円柱状または円筒状とされることが望ましい。
【００２３】
シート材１５は、四周枠内に張設されればよく、例えば各枠に複数のリング状の固定具１６で固定、張設されればよい。なお、図例では、シート材１５は四周枠に固定されているが、これには限らない。すくなくとも、シート材１５の張設状態が維持できれば、どのような固定方法であってもよい。
【００２４】
このシェード本体１０は、図２（ａ）に示すように、基部枠１１が複数のフック部材４０のフック部４２に引っ掛けられ、支持棒２０による支持がされていない場合には、基部枠１１がフック部４２に引っ掛けられた状態で回転自在に保持されて、シェード本体１０自体の回動が自在とされている。
【００２５】
支持棒２０は、その一端が側枠１２に連結部材３０を介して連結されている。また図２（ｂ）に示すように、支持棒２０は側枠１２の下方（略真下）に配され、側枠１２に対する支持棒２０のなす角度θは連結部材３０により調節が可能とされている。なお、この連結部材３０による連結構造については、図３の説明とともに後述する。
【００２６】
また、角度調節された側枠１２と支持棒２０とは、その角度θが変動しないようにしたロック状態と、角度θが変動することを許容されたアンロック状態とに切り替えができるようになっている。具体的には、側枠１２に取り付けられた連結部材３０により、支持棒２０を回動自在としたアンロック状態にもでき、任意の角度θで固定したロック状態にもでき、さらにそれらの間での切り替えが、支持棒２０を回動させることでできるようになっている。
【００２７】
また、支持棒２０は、一端に連結部材３０に連結するための連結部２１を備え、他端に壁面３に当接する当接部２２を備えている。支持棒２０は金属あるいは合成樹脂などで製されており、当接部２２として円錐台状のゴムが装着されている。なお、当接部２２の底面には微小な凹凸などによる滑り止めが形成されていることが望ましい。
【００２８】
また、支持棒２０の連結部２１については、連結部材３０の構成および連結部材３０に対する側枠１２および支持棒２０の装着構造とともに、図３にもとづいて以下に説明する。
【００２９】
連結部材３０は、図３（ａ）に示すように、側枠１２を抱持する、側面視略円形で開口３３を有した抱持部３１と、抱持部３１の開口３３側の両方の端部より円から遠ざかるように相互に略平行に延びた挟着部３２とを備えている。この挟着部３２は、図３（ｂ）に示すように、正面視で略三角形状をなしており、支持棒２０の軸支用の丸孔３２ａと、ボルト３４、蝶ナット３５止め用のボルト挿通孔３２ｂとを有している。また、挟着部３２同士の相対する内面の丸孔３２ａの周囲には、放射状に延びる複数の凹部３２ｃが形成されている。
【００３０】
一方、支持棒２０は、その本体が例えば円柱状、円筒状とされ、端部の連結部２１が、図３（ｃ）に示すように扁平状に形成されている。図３（ｄ）に示すように、連結部２１はその両面側に突出する軸部２１ａを備えており、軸部２１ａの周囲に放射状に延びる複数の凸部２１ｂが形成されている。
【００３１】
この支持棒２０は、連結部２１の軸部２１ａが丸孔３２ａに挟着部３２間より外側へと挿通し突出した状態に、連結部２１が挟着部３２に挟み込まれることで、回動自在な状態となる。そして、連結部２１の凸部２１ｂと、挟着部３２の凹部３２ｃとが嵌合し、かつ、両挟着部３２をボルト３４、蝶ナット３５止めすることで支持棒２０は連結部材３０に固定され、回動がロックされる。
【００３２】
このように、この日除けシェード１は、連結部材３０と支持棒２０とが、支持棒２０を回動自在としたアンロック状態と、段階的な角度で固定するロック状態とに切り替え可能な構成とされている。
【００３３】
この角度調節機構により、側枠１２と支持棒２０とのなす角度θを所望の角度に調節できる。その結果、壁面３に支持棒２０の当接部２２の外面を斜めにならないように面接触させ、つまり支持棒２０を略水平に維持できるようにできる。
【００３４】
図３の例では、凸部２１ｂおよび凹部３２ｃは３０度ずつの段階的な角度調節を可能としているが、さらに刻み角度を小さくしてもよい。また凸部２１ｂの数は凹部３２ｃよりも少なくてもよい。また、連結部２１、挟着部３２間で凹凸を逆にしたものであってもよい。
【００３５】
なお、側枠１２と支持棒２０とのなす角度θの調節は段階的な調節に限られず、例えば連結部２１と挟着部３２との接触面に梨地凹凸を形成することで、連続的な角度調節をできるようにしてもよい。
【００３６】
また、ボルト３４、蝶ナット３５により、連結部材３０は側枠１２に対してもしっかりと固定されることとなる。また、ボルト３４、蝶ナット３５を弛めることで、支持棒２０の側枠１２に対する連結位置を調整することができる。なお、ボルト３４、蝶ナット３５の配設位置（挿通孔３２ｂの位置）は、挟着部３２の下部位置（例えば、図２（ｂ）のＸ位置）とすることが操作しやすく、また支持棒２０の回動ストッパともなり得るため、望ましい。
【００３７】
このようにして、この日除けシェードを、シェード本体１０の側枠１２と支持棒２０とを固定させた（回動がロックされた）安定した状態で、壁面３より支持することができる。なお、固定しない（回動がアンロックの）状態であっても、支持棒２０の当接部２２が壁面３に当接していれば、日除けシェード１を、図１の状態のように維持することができる。
【００３８】
ついで、日除けシェード１を吊り支持するための構造について、図４を参照しながら説明する。
【００３９】
図４（ａ）は、軒樋支持具５０による軒樋５の支持構造を示す軒樋支持具５０の取付状態の側面図である。この軒樋支持具５０は軒樋５を吊り支持するもので、金属あるいは硬質樹脂などで形成されており、軒先２の鼻隠２ａに固定するための固定部５１と、固定部５１の上端より前方に延びた取付足５２と、取付足５２の前端の連結板部５２ａに連結された支持具本体５３とを備えている。
【００４０】
支持具本体５３は、本体板状部５３ｃと、軒樋５の前耳５ａを保持する前耳保持部５３ａと、後ろ耳５ｂを保持すえる後ろ耳保持部５３ｂとを備えている。本体板状部５３ｃには前後方向に沿って長孔（不図示）が開設されており、その長孔の長手方向の適宜な位置に取付足５２の連結板部５２ａに設けた固定具挿通孔（不図示）を合わせて、ボルト５５と蝶ナット５６で固定できる固定構造とされている。つまり、支持具本体５３は前後方向の位置調節が可能とされ、それにより軒樋５の出具合を調節できるようになっている。
【００４１】
本実施形態では、この軒樋支持具５０の取付足５２に、上述したシェード本体１０を吊り下げるためのフック部材４０が取り付けられている。このフック部材４０は、軒樋支持具５０に対し着脱自在とされ、日除けシェード１の取り付けが必要な場合に、軒樋５の長手方向に対する適宜な位置に合った軒樋支持具５０に取り付ければよい。
【００４２】
フック部材４０は、金属あるいは硬質樹脂などで板状に製されており、図４（ａ）（ｂ）に示すように、本体４１の下部には湾曲してなるフック部４２が形成され、本体４１の上部には、軒樋支持具５０の取付足５２に引っ掛け保持されるようにするための吊り下げ部４３を有している。この吊り下げ部４３は、本体４１の中央上部に形成された係合凹部４３ａを有し、この係合凹部４３ａに取付足５２を配することでフック部材４０が吊り下げられた状態となる。
【００４３】
この係合凹部４３ａは本体４１の一方の側端に設けた開口部４４より通じており、開口部４４より挿入された取付足５２と係合させればよい。また、フック部材４０の上端部には折曲部４５が形成されている。なお、フック部材４０の上端からフック部４２までの長さ寸法は、軒樋支持具５０に軒樋５を取り付けた状態でフック部４２が軒樋５の後ろ側に隠れず、かつ、フック部４２に吊り下げたシェード本体１０の回動がスムーズになされるような寸法とすることが望ましい。
【００４４】
フック部材４０は、図４（ａ）に示すように、フック部４２の開口４２ａを後ろ側に向けた状態で、開口部４４を取付足５２の位置に合わせ横方向にスライドするようにして装着されればよい。フック部材４０の係合凹部４３ａの幅寸法を取付足５２の幅寸法と略同じにして、図４（ｂ）に示すように、係合凹部４３ａの両側の挟持部４３ｂで取付足５２を挟持できるようにすれば、フック部材４０は安定して保持され得る。また図４（ａ）に示すように、フック部材４０の折曲部４５を取付足５２の上面に面接触させておけば、フック部材４０はさらに安定して保持される。
【００４５】
このようにして、フック部材４０は、軒樋支持具５０の基端部（取付足５２の基端部５２ｂ）に引っ掛けられる。こうして取り付けたフック部材４０のフック部４２に、シェード本体１０の基部枠１１を装着すれば、シェード本体１０は回動自在となるように吊り下げ支持される。
【００４６】
以上のようにシェード本体１０が吊り下げ支持された状態で、側枠１２に対し所望の角度θに調節された支持棒２０を、その当接部２２を壁面３に当接させた状態とすることで、シェード本体１０は、図１（ａ）に示したような安定した状態に保持される。
【００４７】
以上に示したように、日除けシェード１は簡易な構造であり、簡易に軒先２に取り付けできる。また、この日除けシェード１はフック部材４０を有した構成であるため、フック部材４０を用いれば、施工業者などによらず住居者でも簡易に取り付けることができ、簡易な日除け具として使用することができる。また、フック部材４０は軒樋支持具５０の基端部５２ｂに吊り下げできるため、軒樋５の施工後でも、日除けシェード１を簡易に取り付けることができる。
【００４８】
また、シェード本体１０は、支持棒２０（壁面３）とフック部材４０（軒先に固定された軒樋支持具５０）とにより支持されているため、安定な状態を維持することができ、そのため、日除けシェード１の上方から風が吹きつけた場合でも、ぐらついたり、外れたりすることがない。
【００４９】
また、シェード本体１０の下方より風が吹き込んだ場合には、図５（ａ）に示すように、シェード本体１０が回動し、上方に舞い上がることがある。しかし、連結部材３０により側枠１２と支持棒２０とが一定の角度を保った状態にロックされているため、風が止めば、図５（ｂ）のような元の状態に戻り、壁による支持が継続される。ようするに、風が吹いても外れたり、落下したりするおそれはほとんどなく、一時的にぐらついても取り付け状態を維持することができる。
【００５０】
また、シェード本体１０の側枠１２と支持棒２０とがアンロック状態で図１（ａ）のように保持されていた場合、風がシェード本体１０の下方より吹き込んだ場合、回動により支持棒２０は当接部２２が壁面３から離れて重力により前方へ回動し、その後、シェード本体１０も重力で後方に回動して、図６（ｂ）に示すように、側枠１２に連結された状態で支持棒２０はシェード本体１０とともに垂れ下がる。
【００５１】
このように、日除けシェード１が、シェード本体１０と支持棒２０とがアンロック状態に連結されて設置されている場合でも、風が吹いて落下したり、外れたりするおそれはほとんどない。
【００５２】
本実施形態では、日除けシェード１が、シェード本体１０と、支持棒２０と、連結部材３０と、フック部材４０とを有する構成としているが、シェード本体の基部枠が建築部材の適所に軸支されるのであれば、フック部材４０を含まない構成であってもよい。
【００５３】
日除けシェード１を軒樋５と同時に施工する場合には、フック部材４０を軒樋支持具５０の固定部５１と鼻隠２ａとの間に挟み込み固定するようにしてもよい。そのようにすれば、フック部材４０を強固に固定することができ、日除けシェード１をより安定した状態に設置することができる。
【００５４】
また、フック部材４０は上述した構成のものには限られず、他のものであってもよい。例えば上部にネジ部を有し、そのネジ部で軒天２ｂに固定できる構成のものであってもよい。
【符号の説明】
【００５５】
１          日除けシェード
２          軒先
３          壁面
１０        シェード本体
１１        基部枠
１２        側枠
１３        前方枠
１５        シート材
２０        支持棒
２１        連結部
２２        当接部
３０        連結部材
３１        抱持部
３２        挟着部
４０        フック部材
４１        本体
４２        フック部
４５        折曲部
５０        軒樋支持具
５２ｂ      基端部
【図１】
2020143558.tif 000003
【図２】
2020143558.tif 000004
【図３】
2020143558.tif 000005
【図４】
2020143558.tif 000006
【図５】
2020143558.tif 000007
【図６】
2020143558.tif 000008